(57)【要約】【課題】簡単な操作で、複数の電話機４０の電話番号を自由に設定することができる電話システム１０を提供する。【解決手段】本発明では、番号設定装置３０が、複数の電話機４０に同一の電話番号を同報送信し、同報送信された電話番号を自電話機４０の電話番号として登録する旨の応答があった電話機４０に対して、直前に同報送信した電話番号を対応付けて番号管理テーブル格納部３１に登録する。番号設定装置３０は、電話番号の設定が終了した場合に、それぞれの電話機４０の識別情報に対応付けて電話番号を格納する電話番号管理テーブルを主装置２０へ送る。主装置２０は、当該電話番号管理テーブルを参照して、着信先の電話機４０の電話番号を指定する呼を、当該電話番号に対応する電話機４０に着信させる。【選択図】図１
2008177822.tif 000002
【特許請求の範囲】
【請求項１】
複数の電話機と、それぞれの前記電話機の識別情報に対応付けて電話番号を格納する電話番号管理テーブルを参照して、着信先の電話機の電話番号を指定する呼を、当該電話番号に対応する電話機へ着信させる主装置と、それぞれの前記電話機に番号を設定する番号設定装置とを備える電話システムであって、
前記番号設定装置は、
電話番号を含む番号通知を、前記複数の電話機へ同報送信する番号送信手段と、
前記複数の電話機のいずれかから、当該電話機の識別情報を含む番号登録要求を受信した場合に、当該番号登録要求に含まれる電話機の識別情報に、同報送信された前記番号通知に含まれていた電話番号を対応付けて、前記電話番号管理テーブルに登録する番号登録手段と
を有し、
前記複数の電話機のそれぞれは、
前記番号通知を受信した場合に、当該番号通知に含まれている電話番号を表示する表示手段と、
ユーザからの操作情報を受け付ける操作手段と、
前記表示手段によって表示されている電話番号を、自電話機の電話番号として登録する旨の第一の操作を、前記操作手段を介してユーザから受け付けた場合に、自電話機の識別情報を含む番号登録要求を、前記番号設定装置へ送信する番号登録要求手段と
を有することを特徴とする電話システム。
【請求項２】
請求項１に記載の電話システムであって、
前記複数の電話機のそれぞれは、
電話機の電話番号を設定するための番号設定処理の開始を要求する旨の第二の操作を、前記操作手段を介してユーザから受け付けた場合に、当該番号設定処理の開始を要求する番号設定開始要求を、前記番号設定装置へ送信する番号設定開始要求手段をさらに有し、
前記番号設定装置は、
前記複数の電話機のいずれかから、前記番号設定開始要求を受信した場合に、電話番号を１つ選択し、選択した電話番号を含む番号通知を、前記番号送信手段に同報送信させる番号選択手段をさらに有することを特徴とする電話システム。
【請求項３】
請求項２に記載の電話システムであって、
前記番号設定装置は、
電話番号を登録する対象となる電話機の識別情報を格納する電話機情報格納手段をさらに有し、
前記番号選択手段は、
前記番号登録手段によって、前記番号登録要求を送信してきた電話機の識別情報に、電話番号が対応付けられて前記電話番号管理テーブルに登録された後に、前記電話番号管理テーブルおよび前記電話機情報格納手段を参照して、電話番号が対応付けられていない電話機の識別情報が残っている場合には、予め定められたルールに従って次の電話番号を選択し、選択した電話番号を含む番号通知を、前記番号送信手段に同報送信させることを特徴とする電話システム。
【請求項４】
請求項２または３に記載の電話システムであって、
前記電話機の番号設定開始要求手段は、
前記番号設定処理において、前記複数の電話機に最初に同報送信される番号通知に含まれる電話番号を示す第三の操作を、前記操作手段を介してユーザから受け付けた後に、前記第二の操作を前記操作手段を介してユーザから受け付けた場合に、当該第三の操作で示された電話番号を前記番号設定開始要求に含めて前記番号設定装置へ送信し、
前記番号設定装置の番号選択手段は、
前記複数の電話機のいずれかから受信した番号設定開始要求に含まれている電話番号を、前記複数の電話機へ最初に同報送信する番号通知に含める電話番号として選択することを特徴とする電話システム。
【請求項５】
複数の電話機の電話番号を設定する番号設定装置であって、
電話番号を含む番号通知を、前記複数の電話機へ同報送信する番号送信手段と、
前記複数の電話機のいずれかから、当該電話機の識別情報を含む番号登録要求を受信した場合に、当該番号登録要求に含まれる電話機の識別情報に、同報送信された前記番号通知に含まれていた電話番号を対応付けて、電話番号管理テーブルに登録する番号登録手段と
を備えることを特徴とする番号設定装置。
【請求項６】
請求項５に記載の番号設定装置であって、
前記複数の電話機のいずれかから、電話機の電話番号を設定するための番号設定処理の開始を要求する番号設定開始要求を受信した場合に、電話番号を１つ選択し、選択した電話番号を含む番号通知を、前記番号送信手段に同報送信させる番号選択手段をさらに備えることを特徴とする番号設定装置。
【請求項７】
請求項６に記載の番号設定装置であって、
電話番号を登録する対象となる電話機の識別情報を格納する電話機情報格納手段をさらに備え、
前記番号選択手段は、
前記番号登録手段によって、前記番号登録要求を送信してきた電話機の識別情報に、電話番号が対応付けられて前記電話番号管理テーブルに登録された後に、前記電話番号管理テーブルおよび前記電話機情報格納手段を参照して、電話番号が対応付けられていない電話機の識別情報が残っている場合には、予め定められたルールに従って次の電話番号を選択し、選択した電話番号を含む番号通知を、前記番号送信手段に同報送信させることを特徴とする番号設定装置。
【請求項８】
請求項６または７に記載の番号設定装置であって、
前記番号設定開始要求には、前記番号設定処理において、前記複数の電話機に最初に同報送信される番号通知に格納される電話番号が格納されており、
前記番号選択手段は、
前記複数の電話機のいずれかから受信した番号設定開始要求に含まれている電話番号を、前記複数の電話機へ最初に同報送信する番号通知に含める電話番号として選択することを特徴とする番号設定装置。
【発明の詳細な説明】
【技術分野】
【０００１】
本発明は、複数の電話機のそれぞれに電話番号を割り当てる技術に関する。
【背景技術】
【０００２】
特許文献１には、それぞれのＩＰ電話機がいずれのＬＡＮセグメントに接続されているかを示す情報を収集することにより、同一のＬＡＮセグメントに接続されている複数のＩＰ電話機に、近い値の内線番号を自動的に割り当てるＬＡＮ接続式ボタン電話システムが開示されている。これにより、設置場所が近い複数のＩＰ電話機に、近い値の内線番号を自動的に割り当てることができる。
【０００３】
【特許文献１】特開２００２−３１５０２９号公報
【発明の開示】
【発明が解決しようとする課題】
【０００４】
上記特許文献１に開示されている技術は、ＬＡＮセグメント毎に、当該ＬＡＮセグメントに接続されている複数の電話機の電話番号を近い値に設定するものであるが、電話機の配置やそれぞれの電話機のユーザ同士の関係等によっては、１つのＬＡＮセグメント内でも電話機を複数のグループに分け、それぞれのグループ内の電話機の電話番号を近い値にしたい場合がある。
【０００５】
しかし、上記特許文献１の技術は、番号を割り当てる際の最小単位がＬＡＮセグメントであるため、同一のＬＡＮセグメントに接続された電話機を複数のグループに分け、それぞれのグループ内の電話機の電話番号を近い値にすることはできない。
【０００６】
また、同一のグループ内の電話機の電話番号の値を、それぞれの電話機のユーザの属性に応じて、予め定められた順番となるように割り当てる場合がある。例えば、営業部門の複数の社員の電話機に１００番台の３桁の電話番号を割り当てる場合、部長の電話機には１００番を、課長の電話機には１１０〜１１９番のいずれかを、係長の電話機には１２０〜１２９番のいずれかを、一般社員の電話には、１３０〜１９９番のいずれかを割り当てる。
【０００７】
しかし、上記特許文献１の技術では、ＬＡＮセグメント毎に、当該ＬＡＮセグメント内の電話機に近い番号が割り当てられるものの、ＬＡＮセグメント内の番号体系については、システムが勝手に割り当てる。そのため、グループ内の番号割り当てが自由にできないという問題がある。
【０００８】
本発明は上記事情を鑑みてなされたものであり、本発明の目的は、簡単な操作で、複数の電話機の電話番号を自由に設定できるようにすることにある。
【課題を解決するための手段】
【０００９】
上記課題を解決するために、本発明は、複数の電話機に同一の電話番号を同報送信し、同報送信された電話番号を自電話機の電話番号として登録する旨の応答があった電話機に対して、直前に同報送信した電話番号を割り当てる。
【００１０】
例えば、本発明の第１の態様は、複数の電話機と、それぞれの電話機の識別情報に対応付けて電話番号を格納する電話番号管理テーブルを参照して、着信先の電話機の電話番号を指定する呼を、当該電話番号に対応する電話機へ着信させる主装置と、それぞれの電話機に番号を設定する番号設定装置とを備える電話システムであって、番号設定装置は、電話番号を含む番号通知を、複数の電話機へ同報送信する番号送信手段と、複数の電話機のいずれかから、当該電話機の識別情報を含む番号登録要求を受信した場合に、当該番号登録要求に含まれる電話機の識別情報に、同報送信された番号通知に含まれていた電話番号を対応付けて、電話番号管理テーブルに登録する番号登録手段とを有し、複数の電話機のそれぞれは、番号通知を受信した場合に、当該番号通知に含まれている電話番号を表示する表示手段と、ユーザからの操作情報を受け付ける操作手段と、表示手段によって表示されている電話番号を、自電話機の電話番号として登録する旨の第一の操作を、操作手段を介してユーザから受け付けた場合に、自電話機の識別情報を含む番号登録要求を、番号設定装置へ送信する番号登録要求手段とを有することを特徴とする電話システムを提供する。
【００１１】
また、本発明の第２の態様は、複数の電話機の電話番号を設定する番号設定装置であって、電話番号を含む番号通知を、複数の電話機へ同報送信する番号送信手段と、複数の電話機のいずれかから、当該電話機の識別情報を含む番号登録要求を受信した場合に、当該番号登録要求に含まれる電話機の識別情報に、同報送信された番号通知に含まれていた電話番号を対応付けて、電話番号管理テーブルに登録する番号登録手段とを備えることを特徴とする番号設定装置を提供する。
【発明の効果】
【００１２】
本発明によれば、簡単な操作で、複数の電話機の電話番号を自由に設定することができる。
【発明を実施するための最良の形態】
【００１３】
以下、本発明の実施形態について説明する。
【００１４】
図１は、本発明の一実施形態に係る電話システム１０の構成を示すシステム構成図である。電話システム１０は、主装置２０、番号設定装置３０、および複数の電話機４０を備える。
【００１５】
複数の電話機４０のそれぞれは、ＬＡＮ（Local Area Network）１３に接続され、当該ＬＡＮ１３を介して他の電話機４０と、あるいは、外部ネットワーク１２を介して外部の電話機１１と通信する。本実施形態の電話システム１０は、例えばボタン電話システムであり、それぞれの電話機４０は、例えばボタン電話である。
【００１６】
主装置２０は、ＩＰ（Internet Protocol）ネットワーク等の外部ネットワーク１２およびＬＡＮ１３に接続され、ＬＡＮ１３を介して複数の電話機４０を制御する。主装置２０は、それぞれの電話機４０の識別情報に当該電話機４０の電話番号が対応付けられた番号管理テーブルを参照して、外部ネットワーク１２を介して外部の電話機１１から受けた着信の着信先を特定し、特定した着信先の電話機４０へ、当該着信を転送し、当該着信に応答した電話機４０と当該外部の電話機１１との通信を中継する。
【００１７】
また、主装置２０は、ＬＡＮ１３を介していずれかの電話機４０から受け付けた外線発信に基づいて、外部ネットワーク１２を介して着信先の外部の電話機１１へ発信を行うことにより、当該電話機４０と当該外部の電話機１１との通信を中継する。また、主装置２０は、番号管理テーブルを参照して、ＬＡＮ１３を介した電話機４０同士の内線通信を中継する。
【００１８】
番号設定装置３０は、複数の電話機４０のそれぞれに電話番号を割り当てることにより、番号管理テーブルを生成し、生成した番号管理テーブルを主装置２０に供給する。
【００１９】
図２は、主装置２０の詳細な機能構成の一例を示すブロック図である。主装置２０は、番号管理テーブル格納部２１、番号管理テーブル更新部２２、および呼処理部２３を備える。
【００２０】
番号管理テーブル格納部２１は、例えば図３に示すように、それぞれの電話機４０を識別する電話機ＩＤ２１０に電話番号２１１が対応付けられた番号管理テーブルを格納する。電話機ＩＤ２１０は、例えば電話機４０のＩＰアドレスやＭＡＣ（Media Access Control）アドレス等である。
【００２１】
呼処理部２３は、番号管理テーブル格納部２１内の番号管理テーブルを参照して、外部ネットワーク１２を介して外部の電話機１１から受け付けた外線着信の着信先を特定し、特定した着信先の電話機４０へ、当該外線着信を転送することにより、着信先の電話機４０と発信元の外部の電話機１１との通信を中継する処理、ＬＡＮ１３を介していずれかの電話機４０から受け付けた外線発信に基づいて、外部ネットワーク１２を介して着信先の外部の電話機１１へ発信を行うことにより、当該電話機４０と当該外部の電話機１１との通信を中継する処理、および、番号管理テーブル格納部２１内の番号管理テーブルを参照して、電話機４０同士の通信を中継する処理等を行う。
【００２２】
番号管理テーブル更新部２２は、ＬＡＮ１３を介して番号設定装置３０から番号管理テーブルと共に、更新種別を受信した場合に、受信した更新種別に従って、番号管理テーブル格納部２１内の番号管理テーブルを更新する。
【００２３】
例えば、番号管理テーブルと共に、置き換えを示す更新種別を受信した場合、番号管理テーブル更新部２２は、受信した番号管理テーブルで番号管理テーブル格納部２１内の番号管理テーブルを置き換える。また、番号管理テーブルと共に、追加を示す更新種別を受信した場合、番号管理テーブル更新部２２は、受信した番号管理テーブルを番号管理テーブル格納部２１内の番号管理テーブルに追加する。
【００２４】
また、番号管理テーブルと共に、修正を示す更新種別を受信した場合、番号管理テーブル更新部２２は、番号管理テーブル格納部２１内の番号管理テーブルと、受信した番号管理テーブルとで、同一の識別情報に対応付けられている電話番号については、番号管理テーブル格納部２１内の番号管理テーブルの電話番号を、受信した番号管理テーブルの電話番号で置き換える。また、受信した番号管理テーブル内にはあるが、番号管理テーブル格納部２１内の番号管理テーブルにはない電話番号については、番号管理テーブル更新部２２は、受信した番号管理テーブル内の識別情報と電話番号の組を番号管理テーブル格納部２１に追加する。
【００２５】
図４は、番号設定装置３０の詳細な機能構成の一例を示すブロック図である。番号設定装置３０は、番号管理テーブル格納部３１、電話機情報格納部３２、番号登録部３３、番号選択部３４、および番号送信部３５を備える。
【００２６】
電話機情報格納部３２には、例えば図５に示すように、電話番号を登録する対象の電話機４０の電話機ＩＤ３２０、および、今回の電話番号の設定が、置き換え、追加、または修正のいずれであるかを示す更新種別３２１が格納される。電話機情報格納部３２内の情報は、管理者等によって予め設定される。番号管理テーブル格納部３１には、例えば図６に示すように、番号登録部３３によって登録された、電話機ＩＤ３１０および電話番号３１１の組を有する番号管理テーブルが格納される。
【００２７】
番号選択部３４は、ＬＡＮ１３を介して電話機４０から、番号設定処理において最初に同報送信される番号通知に含まれる電話番号である開始番号を含む番号設定開始要求を受信した場合に、電話機４０の電話番号を設定する番号設定処理の開始を、複数の電話機４０のそれぞれに、例えばマルチキャストにより通知する。
【００２８】
そして、番号選択部３４は、番号設定開始要求に含まれる開始番号を最初に送信する電話番号として選択し、選択した電話番号を番号登録部３３および番号送信部３５に通知する。また、番号選択部３４は、番号登録部３３から電話番号が登録された旨を通知された場合に、番号管理テーブル格納部３１および電話機情報格納部３２を参照して、電話機情報格納部３２内に格納されている全ての電話機ＩＤ３２０に、電話番号３１１が対応付けられているか否かを判定する。
【００２９】
電話機情報格納部３２内に格納されている電話機ＩＤ３２０の中で、電話番号３１１が対応付けられていないものがある場合、番号選択部３４は、次の電話番号を１つ選択し、選択した電話番号を番号登録部３３および番号送信部３５に通知する。本実施形態において、番号選択部３４は、前回選択した電話番号の値に１を加えた値を次の電話番号として選択する。
【００３０】
また、他の形態として、番号選択部３４は、電話番号が所定の順番で予め登録されたテーブルを参照して、前回選択した電話番号の次に登録されている電話番号を次の電話番号として選択したり、前回選択した電話番号の値に１以外の所定値を加えた値を次の電話番号として選択するようにしてもよい。
【００３１】
電話機情報格納部３２内に格納されている全ての電話機ＩＤ３２０に、電話番号３１１が対応付けられている場合、番号選択部３４は、番号管理テーブル格納部３１に格納されている番号管理テーブルを、電話機情報格納部３２内に格納されている更新種別と共に、ＬＡＮ１３を介して主装置２０へ送り、番号設定処理の終了を、複数の電話機４０のそれぞれに、例えばマルチキャストにより通知する。
【００３２】
また、番号選択部３４は、ＬＡＮ１３を介して電話機４０から次の電話番号を要求する次番号要求を受信した場合に、次の電話番号を１つ選択し、選択した電話番号を番号登録部３３および番号送信部３５に通知する。
【００３３】
なお、次番号要求には、ステップを示す情報が含まれ、番号選択部３４は、当該ステップに基づいて、次の電話番号を選択するようにしてもよい。例えば、次番号要求に、「１０」を示すステップ情報が含まれている場合、番号選択部３４は、前回選択した電話番号に１０を加えた値を次の電話番号として選択する。
【００３４】
また、番号選択部３４は、番号設定処理の強制終了を示す終了指示を、ＬＡＮ１３を介していずれかの電話機４０から受信した場合に、番号管理テーブル格納部３１に格納されている番号管理テーブルを、電話機情報格納部３２内に格納されている更新種別と共に、ＬＡＮ１３を介して主装置２０へ送り、番号設定処理の終了を、複数の電話機４０のそれぞれに、例えばマルチキャストにより通知する。
【００３５】
番号送信部３５は、番号選択部３４から通知された電話番号を含む番号通知を生成し、生成した番号通知を、ＬＡＮ１３を介して複数の電話機４０へ、例えばマルチキャストにより同報送信する。
【００３６】
番号登録部３３は、ＬＡＮ１３を介して、いずれかの電話機４０から、当該電話機４０の識別情報を含む番号登録要求を受信した場合に、直前に番号選択部３４から通知された電話番号を、当該番号登録要求に含まれる識別情報に対応付けて番号管理テーブル格納部３１に格納し、電話番号を登録した旨を番号選択部３４に通知する。そして、番号登録部３３は、登録した電話番号を含む登録応答を、当該電話番号の登録対象の電話機４０へ、例えばユニキャストにより通知する。
【００３７】
なお、他の形態として、それぞれの電話機４０は、自電話機に設定されるべき電話番号を、番号登録要求と共に番号設定装置３０へ送信し、番号登録部３３は、いずれかの電話機４０から、電話番号を示す情報と共に番号登録要求を受信した場合に、当該電話番号を、当該番号登録要求に含まれる識別情報に対応付けて番号管理テーブル格納部３１に格納するようにしてもよい。
【００３８】
図７は、電話機４０の詳細な機能構成の一例を示すブロック図である。電話機４０は、番号設定開始要求部４１、番号登録要求部４２、次番号要求部４３、終了指示送信部４４、表示部４５、および操作部４６を備える。なお、図７に示す例では、本実施形態に特有の番号設定処理に必要な電話機４０の機能を示しており、ボタン電話としての通常の機能については省略している。
【００３９】
表示部４５は、ＬＡＮ１３を介して番号設定装置３０から通知される情報に従って、電話機４０の動作モードを変更したり、番号設定装置３０から通知された情報を電話機４０が有するＬＣＤ（Liquid Crystal Display）等の表示装置に表示する処理を行う。
【００４０】
番号設定装置３０から通知され、表示部４５に表示される情報には、例えば、番号設定処理中である旨を示す情報、同報送信された番号通知に含まれる電話番号、および自電話機４０に対して登録された電話番号等がある。
【００４１】
操作部４６は、キーパッドや受話器と連動するフックスイッチ等であり、ユーザによる操作を操作信号に変換して番号設定開始要求部４１、番号登録要求部４２、次番号要求部４３、および終了指示送信部４４へ送る。
【００４２】
番号設定開始要求部４１は、開始番号を指定する操作に続けて、番号設定処理の開始を要求する旨の操作を、操作部４６を介してユーザから受け付けた場合に、指定された開始番号を含む番号設定開始要求を、ＬＡＮ１３を介して番号設定装置３０へ送信する。
【００４３】
番号設定開始要求部４１は、例えば、数字キーが押下された後に、所定時間以内に「＊」ボタンが５回連続して押下された場合に、押下された数字キーに応じた番号を開始番号として含む番号設定開始要求を番号設定装置３０へ送信する。なお、数字キーが押下されることなく「＊」が連続して５回押下された場合、番号設定開始要求部４１は、開始番号として初期設定値（例えば０）を含む番号設定開始要求を番号設定装置３０へ送信する。
【００４４】
番号登録要求部４２は、現在表示部４５に表示されている電話番号を、自電話機４０の電話番号として登録する旨の操作を、操作部４６を介してユーザから受け付けた場合に、自電話機４０の識別情報を含む番号登録要求を、ＬＡＮ１３を介して番号設定装置３０へ送信する。
【００４５】
番号登録要求部４２は、例えば、受話器を上げて戻す操作（オフフックした後にオンフックさせる操作）を、現在表示部４５に表示されている電話番号を自電話機４０の電話番号として登録する旨の操作として検出する。
【００４６】
次番号要求部４３は、次の電話番号を要求する旨の操作を、操作部４６を介してユーザから受け付けた場合に、次番号要求をＬＡＮ１３を介して番号設定装置３０へ送信する。次番号要求部４３は、例えば、「＃」ボタンが押下された場合に、次番号要求を送信する。なお、数字キーが押下された後に、所定時間以内に「＃」の押下を検出した場合、次番号要求部４３は、押下された数字キーで示される値をステップ数とする次番号要求を番号設定装置３０へ送信してもよい。
【００４７】
終了指示送信部４４は、番号設定処理の強制終了を示す操作を、操作部４６を介してユーザから受け付けた場合に、終了指示をＬＡＮ１３を介して番号設定装置３０へ送信する。終了指示送信部４４は、例えば、例えば「＊」ボタンと「＃」ボタンとが同時に押下される操作を、番号設定処理の強制終了を示す操作として検出する。
【００４８】
図８は、番号設定装置３０の動作の一例を示すフローチャートである。番号選択部３４がいずれかの電話機４０から番号設定開始要求を受信することにより、番号設定装置３０は、本フローチャートに示す動作を開始する。
【００４９】
まず、番号選択部３４は、現在の番号管理状態を知るために、番号送信部３５を介して主装置２０へ番号管理テーブル要求を送信し（Ｓ１００）、主装置２０から番号管理テーブルを受信したか否かを判定する（Ｓ１０１）。主装置２０から番号管理テーブルを受信した場合（Ｓ１０１：Ｙｅｓ）、番号選択部３４は、受信した番号管理テーブルを、番号登録部３３を介して番号管理テーブル格納部３１に格納する（Ｓ１０２）。
【００５０】
次に、番号選択部３４は、番号設定開始通知を複数の電話機４０へ例えばマルチキャストにより同報送信する（Ｓ１０３）。そして、番号選択部３４は、電話機４０から受信した番号設定開始要求に含まれる電話番号に従って、番号設定処理において最初に同報送信する電話番号を開始番号として１つ選択し（Ｓ１０４）、選択した電話番号を番号登録部３３および番号送信部３５に通知する。
【００５１】
次に、番号送信部３５は、番号選択部３４から通知された電話番号を含む番号通知を、複数の電話機４０へ例えばマルチキャストにより同報送信する（Ｓ１０５）。そして、番号登録部３３は、いずれかの電話機４０から番号登録要求を受信したか否かを判定する（Ｓ１０６）。
【００５２】
番号登録要求を受信した場合（Ｓ１０６：Ｙｅｓ）、番号登録部３３は、直前に番号選択部３４から通知された電話番号を、当該番号登録要求に含まれる識別情報に対応付けて番号管理テーブル格納部３１に登録し（Ｓ１０７）、電話番号を登録した旨を番号選択部３４に通知する。そして、番号登録部３３は、登録した電話番号を、当該電話番号の登録対象の電話機４０へ、例えばユニキャストにより通知する（Ｓ１０８）。
【００５３】
次に、番号選択部３４は、番号管理テーブル格納部３１および電話機情報格納部３２を参照して、電話機情報格納部３２内に格納されている全ての電話機ＩＤに、電話番号が対応付けられているか否かを判定する（Ｓ１０９）。電話機情報格納部３２内に格納されている全ての電話機ＩＤに、電話番号が対応付けられていない場合（Ｓ１０９：Ｎｏ）、番号選択部３４は、ステップＳ１１３に示す処理を実行する。
【００５４】
電話機情報格納部３２内に格納されている全ての電話機ＩＤに、電話番号が対応付けられている場合（Ｓ１０９：Ｙｅｓ）、番号選択部３４は、番号設定処理の終了を、複数の電話機４０のそれぞれに、例えばマルチキャストにより同報送信する（Ｓ１１０）。そして、番号選択部３４は、番号管理テーブル格納部３１に格納されている番号管理テーブルを、電話機情報格納部３２内に格納されている更新種別と共に、ＬＡＮ１３を介して主装置２０へ送信し（Ｓ１１１）、番号設定装置３０は、本フローチャートに示す動作を終了する。
【００５５】
ステップＳ１０６において、番号登録要求を受信していない場合（Ｓ１０６：Ｎｏ）、番号選択部３４は、次番号要求を受信したか否かを判定する（Ｓ１１２）。次番号要求を受信した場合（Ｓ１１２：Ｙｅｓ）、番号選択部３４は、次の電話番号を１つ選択し、選択した電話番号を番号登録部３３および番号送信部３５に通知する（Ｓ１１３）。そして、番号送信部３５は、番号選択部３４から通知された電話番号を含む番号通知を、複数の電話機４０へ例えばマルチキャストにより同報送信し（Ｓ１１４）、番号登録部３３は、再びステップＳ１０６に示した処理を実行する。
【００５６】
ステップＳ１１２において、次番号要求を受信していない場合（Ｓ１１２：Ｎｏ）、番号選択部３４は、終了指示を受信したか否かを判定する（Ｓ１１５）。終了指示を受信していない場合（Ｓ１１５：Ｎｏ）、番号選択部３４は、再びステップＳ１０６に示した処理を実行する。終了指示を受信した場合（Ｓ１１５：Ｙｅｓ）、番号選択部３４は、ステップＳ１１０に示した処理を実行する。
【００５７】
図９および図１０は、電話機４０の動作の一例を示すフローチャートである。例えば電源投入等の所定のタイミングで、電話機４０は、本フローチャートに示す動作を開始する。なお、発着信等のボタン電話としての通常の処理に関しては本フローチャートでは省略されている。
【００５８】
まず、番号設定開始要求部４１は、操作部４６を介して、番号設定処理の開始を要求する操作を検出したか否かを判定する（Ｓ２００）。番号設定処理の開始を要求する操作を検出した場合（Ｓ２００：Ｙｅｓ）、番号設定開始要求部４１は、番号設定開始要求を、ＬＡＮ１３を介して番号設定装置３０へ送信し（Ｓ２０１）、再びステップＳ２００に示した処理を実行する。
【００５９】
なお、ステップＳ２０１において、開始番号を指定する操作に続けて、番号設定処理の開始を要求する旨の操作を受け付けた場合、番号設定開始要求部４１は、指定された開始番号を含む番号設定開始要求を、ＬＡＮ１３を介して番号設定装置３０へ送信する。開始番号を指定する操作を受け付けていない場合、番号設定開始要求部４１は、予め設定されている初期値の番号を開始番号として含む番号設定開始要求を送信する。
【００６０】
番号設定処理の開始を要求する操作を検出していない場合（Ｓ２００：Ｎｏ）、表示部４５は、番号設定開始通知を受信したか否かを判定する（Ｓ２０２）。番号設定開始通知を受信した場合（Ｓ２０２：Ｙｅｓ）、表示部４５は、番号設定処理中である旨を表示装置に表示し（Ｓ２０３）、番号設定開始要求部４１は、再びステップＳ２００に示した処理を実行する。
【００６１】
番号設定開始通知を受信していない場合（Ｓ２０２：Ｎｏ）、表示部４５は、番号通知を受信したか否かを判定する（Ｓ２０４）。番号通知を受信した場合（Ｓ２０４：Ｙｅｓ）、表示部４５は、受信した番号通知に含まれる電話番号を表示装置に表示し（Ｓ２０５）、番号設定開始要求部４１は、再びステップＳ２００に示した処理を実行する。
【００６２】
番号通知を受信していない場合（Ｓ２０４：Ｎｏ）、番号登録要求部４２は、操作部４６を介して、番号の登録を要求する操作を検出したか否かを判定する（Ｓ２０６）。番号の登録を要求する操作を検出した場合（Ｓ２０６：Ｙｅｓ）、番号登録要求部４２は、自電話機４０の識別情報を含む番号登録要求を、ＬＡＮ１３を介して番号設定装置３０へ送信し（Ｓ２０７）、番号設定開始要求部４１は、再びステップＳ２００に示した処理を実行する。
【００６３】
番号の登録を要求する操作を検出していない場合（Ｓ２０６：Ｎｏ）、表示部４５は、登録応答を受信したか否かを判定する（Ｓ２０８）。登録応答を受信した場合（Ｓ２０８：Ｙｅｓ）、表示部４５は、受信した登録応答に含まれる電話番号を、自電話機４０に対して登録された電話番号として表示装置に表示し（Ｓ２０９）、番号設定開始要求部４１は、再びステップＳ２００に示した処理を実行する。
【００６４】
登録応答を受信していない場合（Ｓ２０８：Ｎｏ）、次番号要求部４３は、操作部４６を介して、次番号を要求する操作を検出したか否かを判定する（Ｓ２１０）。次番号を要求する操作を検出した場合（Ｓ２１０：Ｙｅｓ）、次番号要求部４３は、次番号要求をＬＡＮ１３を介して番号設定装置３０へ送信し（Ｓ２１１）、番号設定開始要求部４１は、再びステップＳ２００に示した処理を実行する。
【００６５】
次番号を要求する操作を検出していない場合（Ｓ２１０：Ｎｏ）、終了指示送信部４４は、番号設定処理の強制終了を要求する操作を検出したか否かを判定する（Ｓ２１２）。番号設定処理の強制終了を要求する操作を検出した場合（Ｓ２１２：Ｙｅｓ）、終了指示送信部４４は、終了指示をＬＡＮ１３を介して番号設定装置３０へ送信し（Ｓ２１３）、番号設定開始要求部４１は、再びステップＳ２００に示した処理を実行する。
【００６６】
番号設定処理の強制終了を要求する操作を検出していない場合（Ｓ２１２：Ｎｏ）、表示部４５は、番号設定終了通知を受信したか否かを判定する（Ｓ２１４）。番号設定終了通知を受信していない場合（Ｓ２１４：Ｎｏ）、番号設定開始要求部４１は、再びステップＳ２００に示した処理を実行する。番号設定終了通知を受信した場合（Ｓ２１４：Ｙｅｓ）、表示部４５は、電話機４０を通常動作モードへ移行させ、電話機４０は、本フローチャートに示す動作を終了する。
【００６７】
次に、番号設定処理における電話システム１０全体の動作について、図１１を用いて説明する。図１１は、電話システム１０の動作の一例を示すシーケンス図である。
【００６８】
まず、番号設定装置３０は、いずれかの電話機４０（本例では電話機４０−２）から送信された番号設定開始要求を受信し（Ｓ３００）、番号管理テーブル要求を主装置２０へ送信する（Ｓ３０１）。番号管理テーブル要求を受信した主装置２０は、番号管理テーブルを番号設定装置３０へ送信する（Ｓ３０２）。番号管理テーブルを受信した番号設定装置３０は、受信した番号管理テーブルを番号管理テーブル格納部３１に格納して、番号設定開始通知を複数の電話機４０へ同報送信する（Ｓ３０３）。それぞれの電話機４０は、番号設定処理中である旨を表示する（Ｓ３０４）。
【００６９】
次に、番号設定装置３０は、受信した番号設定開始要求に含まれる電話番号に従って、最初に同報送信する電話番号を１つ選択し（Ｓ３０５）、選択した電話番号を含む番号通知を、複数の電話機４０へ同報送信する（Ｓ３０６）。それぞれの電話機４０は、受信した番号通知に含まれる電話番号を表示する（Ｓ３０７、Ｓ３０８、Ｓ３０９）。
【００７０】
次に、いずれかの電話機４０（この場合は電話機４０−１）が、自電話機４０の識別情報を含む番号登録要求を番号設定装置３０へ送信し（Ｓ３１０）、番号設定装置３０は、ステップＳ３０４で同報送信した番号通知に含まれる電話番号を、番号登録要求に含まれる識別情報に対応付けて番号設定装置３０内の番号管理テーブルに登録する（Ｓ３１１）。
【００７１】
そして、番号設定装置３０は、登録した電話番号を含む登録応答を、当該電話番号を登録した電話機４０へ、例えばユニキャストにより送信し（Ｓ３１２）登録応答を受信した電話機４０は、登録応答に含まれる電話番号を、自電話機４０に対して登録された電話番号として表示する（Ｓ３１３）。
【００７２】
次に、番号設定装置３０は、所定のルールに従って次の電話番号を１つ選択し（Ｓ３１４）、選択した電話番号を含む番号通知を、複数の電話機４０へ同報送信する（Ｓ３１５）。それぞれの電話機４０は、受信した番号通知に含まれる電話番号を表示する（Ｓ３１６、Ｓ３１７）。
【００７３】
このとき、既に登録応答を受信している電話機４０（この場合は電話機４０−１）は、その後に番号通知を受信しても、受信した番号通知に含まれる電話番号を表示せず、登録応答に含まれる電話番号の表示を続ける。
【００７４】
次に、いずれかの電話機４０（この場合は電話機４０−２）が、自電話機４０の識別情報を含む番号登録要求を番号設定装置３０へ送信し（Ｓ３１８）、番号設定装置３０は、ステップＳ３１３で同報送信した番号通知に含まれる電話番号を、番号登録要求に含まれる識別情報に対応付けて登録する（Ｓ３１９）。そして、番号設定装置３０は、登録した電話番号を含む登録応答を、電話番号を登録した電話機４０へ、例えばユニキャストにより送信し（Ｓ３２０）登録応答を受信した電話機４０は、登録応答に含まれる電話番号を表示する（Ｓ３２１）。
【００７５】
同様にして、電話番号の選択（Ｓ３２２）、選択した電話番号の同報送信（Ｓ３２３）、送信された電話番号の表示（Ｓ３２４）、登録要求の送信（Ｓ３２５）、電話番号の登録（Ｓ３２６）、登録応答の送信（Ｓ３２７）、および登録された電話番号の表示（Ｓ３２８）が実行される。
【００７６】
そして、電話番号の設定対象の全ての電話機４０について、電話番号の登録が終了したことを検出した場合（Ｓ３２９）、番号設定装置３０は、番号設定終了通知を、複数の電話機４０へ同報送信する（Ｓ３３０）。それぞれの電話機４０は、番号設定終了通知を受信して、通常動作モードへ移行する（Ｓ３３１）。番号設定装置３０は、番号管理テーブルを更新種別と共に主装置２０へ送信する（Ｓ３３２）。
【００７７】
以上、本発明の実施形態について説明した。
【００７８】
上記説明から明らかなように、本実施形態の電話システム１０によれば、簡単な操作で、複数の電話機４０の電話番号を自由に設定することができる。これにより、同一セグメントに接続された複数の電話機４０を複数のグループに分け、グループ毎に値の近い電話番号を設定したり、複数の電話機４０に割り当てる電話番号を、管理者の意図する通りの値の順番とすることができる。
【００７９】
なお、本発明は上記した実施形態に限定されるものではなく、その要旨の範囲内で数々の変形が可能である。
【００８０】
例えば、上記した実施形態では、電話機４０は、ボタン電話であり、主装置２０および複数の電話機４０は、ボタン電話システムを構成していたが、他の形態として、それぞれの電話機４０は、それぞれが単体で発着信が可能なＩＰ電話機等であってもよい。
【００８１】
また、上記した実施形態において、主装置２０と、番号設定装置３０とは、それぞれ別々の装置として説明したが、他の形態として、これらの装置は１つの装置として実現されていてもよい。
【図面の簡単な説明】
【００８２】
【図１】本発明の一実施形態に係る電話システム１０の構成を示すシステム構成図である。
【図２】主装置２０の詳細な機能構成の一例を示すブロック図である。
【図３】番号管理テーブル格納部２１に格納される番号管理テーブルのデータ構造の一例を示す図である。
【図４】番号設定装置３０の詳細な機能構成の一例を示すブロック図である。
【図５】電話機情報格納部３２に格納されるデータの構造の一例を示す図である。
【図６】番号管理テーブル格納部３１に格納される番号管理テーブルのデータ構造の一例を示す図である。
【図７】電話機４０の詳細な機能構成の一例を示すブロック図である。
【図８】番号設定装置３０の動作の一例を示すフローチャートである。
【図９】電話機４０の動作の一例を示すフローチャートである。
【図１０】電話機４０の動作の一例を示すフローチャートである。
【図１１】電話システム１０の動作の一例を示すシーケンス図である。
【符号の説明】
【００８３】
１０・・・電話システム、１１・・・外部の電話機、１２・・・外部ネットワーク、１３・・・ＬＡＮ、２０・・・主装置、２１・・・番号管理テーブル格納部、２１０・・・電話機ＩＤ、２１１・・・電話番号、２２・・・番号管理テーブル更新部、２３・・・呼処理部、３０・・・番号設定装置、３１・・・番号管理テーブル格納部、３１０・・・電話機ＩＤ、３１１・・・電話番号、３２・・・電話機情報格納部、３２０・・・電話機ＩＤ、３２１・・・更新種別、３３・・・番号登録部、３４・・・番号選択部、３５・・・番号送信部、４０・・・電話機、４１・・・番号設定開始要求部、４２・・・番号登録要求部、４３・・・次番号要求部、４４・・・終了指示送信部、４５・・・表示部、４６・・・操作部
【図１】
2008177822.tif 000003
【図２】
2008177822.tif 000004
【図３】
2008177822.tif 000005
【図４】
2008177822.tif 000006
【図５】
2008177822.tif 000007
【図６】
2008177822.tif 000008
【図７】
2008177822.tif 000009
【図８】
2008177822.tif 000010
【図９】
2008177822.tif 000011
【図１０】
2008177822.tif 000012
【図１１】
2008177822.tif 000013